(57)【要約】      （修正有）【課題】ユーザ端末の表示画面上の３Ｄデータを自在に回転表示させて種々の角度からの視点における３Ｄデータ像を表示させることができる３Ｄデータ表示システムを提供する。【解決手段】サーバ１０は、予防方法、治療工程及び技工物を含む医療に関する３Ｄデータ、マーカー３１に含まれている識別情報とを対応付けて記憶している記憶部、記憶部を検索し３Ｄデータを抽出してユーザ端末２０に送信する３Ｄデータ抽出手段、とを備え、ユーザ端末は、マーカーを読み取る読取手段、読取手段により読み取った識別情報をサーバに送信し３Ｄデータをサーバから取得する３Ｄデータ取得手段、３Ｄデータ取得手段により取得した３Ｄデータを表示する表示手段、ユーザの動作に応じた自ユーザ端末の傾きを検知する傾き検知手段、傾き検知手段により検知した自ユーザ端末の傾きに対応させて表示手段に表示されている３Ｄデータを回転して表示する表示制御手段、とを備える。【選択図】図１
2015016291.tif 000002
【特許請求の範囲】
【請求項１】
サーバと、ユーザ端末と、マーカーを有するマーカー表示体とからなる３Ｄデータ表示システムであって、
前記サーバは、予防方法、治療工程及び技工物の少なくともいずれかを含む医療に関する３Ｄデータと、前記マーカー表示体のマーカーに含まれている識別情報とを対応付けて記憶している記憶部と、
前記識別情報に基づいて前記記憶部を検索し、対応付けられている前記３Ｄデータを抽出して前記ユーザ端末に送信する３Ｄデータ抽出手段とを備え、
前記ユーザ端末は、前記マーカーを読み取る読取手段と、
前記読取手段により読み取った前記識別情報を前記サーバに送信し、前記３Ｄデータを前記サーバから取得する３Ｄデータ取得手段と、
前記３Ｄデータ取得手段により取得した３Ｄデータを表示する表示手段と、
ユーザの動作に応じた自ユーザ端末の傾きを検知する傾き検知手段と、
前記傾き検知手段により検知した自ユーザ端末の傾きに対応させて、前記表示手段に表示されている前記３Ｄデータを回転して表示する表示制御手段とを備えることを特徴とする３Ｄデータ表示システム。
【請求項２】
前記サーバは、医院のＷｅｂサイトのＵＲＬである医院ＵＲＬ情報と、前記マーカー表示体のマーカーに含まれている前記識別情報とを対応付けて記憶している前記記憶部と、
前記識別情報に基づいて前記記憶部を検索し、対応付けられている前記医院ＵＲＬ情報を抽出して前記ユーザ端末に送信する医院ＵＲＬ情報抽出手段とを備え、
前記ユーザ端末は、前記マーカーを読み取る読取手段と、
前記読取手段により読み取った前記識別情報を前記サーバに送信し、前記医院ＵＲＬ情報を前記サーバから取得する医院ＵＲＬ情報取得手段と、
前記医院ＵＲＬ情報取得手段により取得した前記医院ＵＲＬ情報に基づき前記医院のＷｅｂサイトを表示する表示手段とをさらに備えることを特徴とする請求項１記載の３Ｄデータ表示システム。
【請求項３】
前記医院のＷｅｂサイトにおいて個人認証された前記ユーザ端末がアクセスできる患者の前記技工物に関する情報及び治療履歴等の情報うち少なくともいずれかが格納されたデータベースをさらに備えることを特徴とする請求項２記載の３Ｄデータ表示システム。
【請求項４】
前記ユーザ端末の表示制御手段は、前記ユーザの拡大操作及び縮小操作に応じて前記３Ｄデータを拡大及び縮小して前記表示手段に表示することを特徴とする請求項１から３のいずれか１項に記載の３Ｄデータ表示システム。
【請求項５】
前記マーカー表示体は、印刷物及び立体物のいずれかであることを特徴とする請求項１から４のいずれか１項に記載の３Ｄデータ表示システム。
【請求項６】
前記マーカー表示体は、ストラップ、キーホルダ、あるいは、装身具のいずれかに使用される装飾品であって、体内入込式の義歯固定用インプラントのデータを具現化したサンプルを取り付けた装飾品であることを特徴とする請求項１から４のいずれか１項に記載の３Ｄデータ表示システム。
【発明の詳細な説明】
【技術分野】
【０００１】
本発明は、歯科医院などが患者に説明する予防方法・治療工程・技工物などに関する３Ｄデータを表示するシステムに関する。
【背景技術】
【０００２】
従来、医療機関の一例として、歯科医院などにおいて来院した患者に対して、予防方法・治療工程・インプラントなどの技工物について説明する際には、例えば、以下のような方法により説明が実施されることが多かった。
まず、紙製のパンフレットを用いる方法があった。これは、例えば３つ折りなどされているパンフレットを開いてそこに示された説明や写真を指し示しながら説明するものである。
しかし、近年、他の多くの分野と同様に、医療業界においても紙媒体の時代からデジタルコンテンツの時代へと大きく移り変わってきており、データ端末の価格・機能面からもユーザの利用機会が増大している。
【０００３】
また、予防方法・治療工程・インプラントなどの技工物は、特定の角度からの平面（２Ｄ：２次元）の写真のみでなく、種々の角度からの視点による歯などの裏側も含めた全体の様子を観察することが必要なこともあり、その場合には立体の模型を患者に対して示しながら説明していた。
しかし、歯科医院などから模型を患者の自宅などに持ち帰ることは通常認められていないため、模型の利用は歯科医院などの施設内部に限定されていた。仮に、持ち帰ることが許可された場合であっても、患者に次の病院に行く予定や目的地があるときには、模型は荷物として嵩張るため邪魔になることも多い。
【０００４】
また、関連技術として、身体に装着可能な携帯端末であって、内部に記憶手段、コンピュータ、外部との通信用変復調手段と表示手段を配置して、歯科医業全般の入出力可能とすることで、歯科従業者全般、電子カルテ、診療報酬計算等を手元で行うことができ、且つこれらの情報を共有化及び表示などの同期化をすることで、限られた人数でも、歯科事務、診療関連の事務処理を分散して行うことを可能とすることから、歯科医業の合理化を、実現したり、患者と歯科医師等との間に表示手段としてのコンピュータ端末と口腔内撮影手段による入出力インタフェースにＧＵＩを用いて操作性を高め、更にＸ線画像と実画像の組み合わせ、好ましくは全歯パノラマ的な画像を用いることで、口腔内診察と治療に関するわかりやすい情報の提供、簡便な端末操作環境及び明確な口腔内表示を行うという記載がある技術が開示されている（特許文献１参照）。
【先行技術文献】
【特許文献】
【０００５】
【特許文献１】特開２０１２−１５７６８３号公報
【発明の概要】
【発明が解決しようとする課題】
【０００６】
しかしながら、特許文献１に開示されている表示端末は、患者側が所有するデバイスではなく、患者の移動に合わせて自由に持ち運びが可能な端末ではない。また、特許文献１に開示されている表示端末では、特に年配の方などには操作が煩雑と感じられることもあるマウスなどの入力装置を用いることなく、ユーザ端末の表示画面上の予防方法・治療工程・技工物などの３Ｄ（３次元）データを自在に回転表示させて種々の角度からの視点における３Ｄデータを簡易・容易に表示させることは困難であった。
【０００７】
本発明の目的は、患者側が所有するユーザ端末及びネットワーク環境で、自宅など任意の場所で、マウスなどの入力装置を用いることなく、ユーザ端末の表示画面上の３Ｄデータを自在に回転表示させて種々の角度からの視点における３Ｄデータ像を表示させることができる３Ｄデータ表示システムを提供することにある。
【課題を解決するための手段】
【０００８】
本発明の３Ｄデータ表示システムは、サーバと、ユーザ端末と、マーカーを有するマーカー表示体とからなる３Ｄデータ表示システムであって、
前記サーバは、予防方法、治療工程及び技工物の少なくともいずれかを含む医療に関する３Ｄデータと、前記マーカー表示体のマーカーに含まれている識別情報とを対応付けて記憶している記憶部と、
前記識別情報に基づいて前記記憶部を検索し、対応付けられている前記３Ｄデータを抽出して前記ユーザ端末に送信する３Ｄデータ抽出手段とを備え、
前記ユーザ端末は、前記マーカーを読み取る読取手段と、
前記読取手段により読み取った前記識別情報を前記サーバに送信し、前記３Ｄデータを前記サーバから取得する３Ｄデータ取得手段と、
前記３Ｄデータ取得手段により取得した３Ｄデータを表示する表示手段と、
ユーザの動作に応じた自ユーザ端末の傾きを検知する傾き検知手段と、
前記傾き検知手段により検知した自ユーザ端末の傾きに対応させて、前記表示手段に表示されている前記３Ｄデータを回転して表示する表示制御手段とを備えることを特徴とする。
このように構成することにより、患者側が所有する移動体携帯端末などのユーザ端末を用いてマーカー表示体のマーカーを読み取るのみで、ユーザ端末に予防方法（予防のブラッシングなど）・治療工程・技工物の３Ｄデータを表示させるので、自宅など任意の場所で３Ｄデータを視認・利用することができる。そして、ユーザ端末が備える傾き検知手段によりマウスなどの入力装置を用いることなく、ユーザ端末を把持したユーザの手などの動作によるユーザ端末の傾きと対応（同期）させてユーザ端末の表示画面上の３Ｄデータを自在に回転表示して種々の角度からの視点における３Ｄデータを患者などに表示・視認させることができる。
【０００９】
また、本発明の３Ｄデータ表示システムは、前記サーバは、医院のＷｅｂサイトのＵＲＬである医院ＵＲＬ情報と、前記マーカー表示体のマーカーに含まれている前記識別情報とを対応付けて記憶している前記記憶部と、
前記識別情報に基づいて前記記憶部を検索し、対応付けられている前記医院ＵＲＬ情報を抽出して前記ユーザ端末に送信する医院ＵＲＬ情報抽出手段とを備え、
前記ユーザ端末は、前記マーカーを読み取る読取手段と、
前記読取手段により読み取った前記識別情報を前記サーバに送信し、前記医院ＵＲＬ情報を前記サーバから取得する医院ＵＲＬ情報取得手段と、
前記医院ＵＲＬ情報取得手段により取得した前記医院ＵＲＬ情報に基づき前記医院のＷｅｂサイトを表示する表示手段とをさらに備えることであってもよい。
このように構成することにより、歯科医院等のＷｅｂサイト（例えば予約システム画面）に容易にアクセスできるようになる。
【００１０】
また、本発明の３Ｄデータ表示システムは、前記医院のＷｅｂサイトにおいて個人認証された前記ユーザ端末がアクセスできる患者の前記技工物に関する情報及び治療履歴等の情報うち少なくともいずれかが格納されたデータベースをさらに備えることであってもよい。
このように構成することにより、医院のＷｅｂサイトへのログインの際などにおける個人ＩＤ・パスワード等による個人認証後に、技工物に関する情報（例えばインプラント治療でどのようなセラミックを被覆したかの情報）及び治療履歴等の情報ＤＢに容易にアクセスできるようになる。
【００１１】
また、本発明の３Ｄデータ表示システムは、前記ユーザ端末の表示制御手段は、前記ユーザの拡大操作及び縮小操作に応じて前記３Ｄデータを拡大及び縮小して前記表示手段に表示することであってもよい。
このように構成することにより、ユーザ端末の表示画面上に３Ｄデータを回転表示することに加えて、３Ｄデータのうち必要な領域部分について拡大又は縮小した表示を実施することができ、ユーザの視認性・理解の向上や促進が図られる。
【００１２】
また、本発明の３Ｄデータ表示システムは、前記マーカー表示体は、印刷物及び立体物であってもよい。
このように構成することにより、リーフレット形式の紙製・樹脂製などの印刷物やキーホルダー・ストラップなどの立体物にマーカーを組み込んで（マーカーは透明などのユーザが視覚により認識できない態様であってもよい。）、患者に配布することができ、そのようなマーカー表示体を利用して、いつでもどこでも患者が常時携帯可能なユーザ端末を用いて３Ｄデータを表示・視認して確認することができるので患者の便宜が図られる。
【００１３】
また、本発明の３Ｄデータ表示システムは、前記マーカー表示体は、ストラップ、キーホルダ、あるいは、装身具のいずれかに使用される装飾品であって、体内入込式の義歯固定用インプラントのデータを具現化したサンプルを取り付けた装飾品であってもよい。
このように構成することにより、装飾品の内部にデータを収容する必要がなくなり、いつでもどこでも患者が常時携帯可能なユーザ端末を用いて３Ｄデータを表示・視認して確認することができるので患者の便宜が図られる。
【発明の効果】
【００１４】
本発明によれば、患者側が所有するユーザ端末及びネットワーク環境で、自宅など任意の場所で、マウスなどの入力装置を用いることなく、ユーザ端末の表示画面上の３Ｄデータを自在に回転表示させて種々の角度からの視点における３Ｄデータ像を表示させることができる３Ｄデータ表示システムを提供することができる。
【図面の簡単な説明】
【００１５】
【図１】本発明の第一の実施の形態におけるシステム構成を示す図である。
【図２】本発明の第一の実施の形態におけるサーバ及びユーザ端末の機能ブロック図である。
【図３】本発明の第一の実施の形態における処理の流れを示すフローチャートである。
【図４】本発明の第一の実施の形態におけるマーカー表示体の一例を示す図である。
【図５】本発明の第一の実施の形態におけるユーザ端末での３Ｄデータの表示例を示す図である。
【図６】本発明の第二の実施の形態におけるシステム構成を示す図である。
【図７】本発明の第二の実施の形態におけるサーバ、ユーザ端末及び医院端末の機能ブロック図である。
【図８】本発明の第二の実施の形態における処理の流れを示すフローチャートである。
【発明を実施するための形態】
【００１６】
以下、本発明の第一の実施の形態を図面を参照しつつ説明する。
本実施の形態の３Ｄデータ表示システム１は、図１に示すように、サーバ１０と、ユーザ端末２０と、マーカー表示体３０から構成されている。
なお、３Ｄデータ（以下、「３Ｄコンテンツ」ということがある。）とは、３次元データのことであり、３Ｄ画像データ及び３Ｄアニメーションデータを含む。３Ｄ画像データは３Ｄオブジェクトを種々の角度やズームにより観覧させるものであり、３Ｄアニメーションデータは３Ｄアニメーションを実施しているオブジェクトをリアルタイムで種々の角度やズームにて観覧させるものである。
【００１７】
サーバ１０と、ユーザ端末２０はインターネット等の所定のネットワーク１００を介して接続されている。典型的には無線で接続されるが有線であってもよい。
【００１８】
サーバ１０は、ＣＰＵ（Central Processing Unit）により制御される、ＲＯＭ（Read Only Memory）・ＲＡＭ（Random Access Memory）等の他、ＨＤＤ（Hard Disk Drive）などの記憶部を備え、公知の入出力手段を備える情報処理装置である。例えば、ワークステーション、高機能のパーソナル・コンピュータ等である。所定のアプリケーションの運営事業者などにより運営されてよい。ＨＤＤには、特定の患者などについての予防方法、治療工程及び技工物の少なくともいずれかを含む医療に関する３Ｄデータと、後述するマーカー表示体のマーカーに含まれている３Ｄデータ識別情報とが所定のテーブル等（テーブルへのデータ格納手法等は公知の技術が適用可能である。）において対応付けられて記憶される。さらにユーザ端末２０の後述するＸ，Ｙ，Ｚ情報ごとに３Ｄデータが紐付けられていてもよい。
【００１９】
ユーザ端末２０は、ＣＰＵにより制御される、ＲＯＭ・ＲＡＭ等の記憶部を備え、公知の入出力手段を備える情報処理装置である。加速度センサーや近接センサー、輝度センサー（環境光センサー）といった様々なセンサー（sensor）が備わっていてもよい。ピンチアウト（拡大）やピンチイン（縮小）というピンチ操作に応じて３Ｄデータ等を表示する表示画面を備えている。いわゆるスマートフォンの他、ノート型パーソナル・コンピュータ、タブレット型携帯端末、携帯電話機等であってもよい。
【００２０】
マーカー表示体３０は、いわゆるＡＲ（拡張現実）技術による画像（３Ｄデータを含む）を表示させるためのトリガーとなるマーカー（ＡＲマーカー）３１を表示するものであり、例えば、紙製・樹脂製などの診察券タイプ・パンフレット・冊子形式の印刷物やキーホルダー・ストラップなどの立体物であってよい（図４も参照）。なお、ここでいう表示とは視認できない透明のマーカーが付加されているような状態も含む意味である。
マーカー表示体３０は、ストラップ、キーホルダ、あるいは、装身具のいずれかに使用される装飾品であって、体内入込式の義歯固定用インプラントのデータを具現化したサンプルを取り付けた装飾品であってもよい。装飾品の内部に物理的に所定のデータが格納された記憶媒体を収容するスースがあってもなくてもよいが、必ずしも記憶媒体を持ち歩く必要がなくなり、いつでもどこでも患者が常時携帯可能なユーザ端末を用いて３Ｄデータを表示・視認して確認することができるので患者等の便宜が図られる。
【００２１】
マーカー３１は、画像認識型ＡＲシステム（モノクロ認識されたパターン画像はコントラストとピクセルの範囲で個別のマーカーとして識別され、識別されたマーカーによりコンテンツを表示するシステム。）における所定のパターン画像であり、マーカー３１を印刷するなどして現実世界に設置すると、ＡＲシステムがそのパターン画像の写った部分に重ねて指定された情報を表示する。どのようなパターン画像をマーカーとするかはシステムの種類によって任意であるが、単純ではっきりした白黒の図形やＱＲコード（登録商標）などであってよい。マーカー３１は、ユーザ端末２０のカメラというリーダーを通じ、あらかじめユーザ端末２０にプログラム・インストールされているＷｅｂアプリ（ソフトウェア）により処理が施されることにより後続の所定の工程へ流れ、そのトリガーとしての機能が発揮される。また、マーカー３１には、特定の患者を一意に識別するための患者識別情報などの、予防方法、治療工程及び技工物の少なくともいずれかを含む医療に関する３Ｄデータと対応付けられる３Ｄデータ識別情報が含まれている。
【００２２】
図２に、本実施の形態に係る３Ｄデータ表示システム１を構成する、サーバ１０と、ユーザ端末２０の機能ブロックを示す。
【００２３】
図２を参照すると、サーバ１０は、データ送受信部１０１と、３Ｄデータ識別情報受信部１０２と、３Ｄデータ抽出部１０３を備えている。
【００２４】
データ送受信部１０１は、３Ｄデータを含む種々のデータを他の装置と送受信する機能を有している。公知の入出力Ｉ／ＦやＣＰＵ等により実現されてよい。
３Ｄデータ識別情報受信部１０２は、ユーザ端末２０から３Ｄデータ識別情報をネットワーク１００を介して受信する機能を有している。公知の入力Ｉ／ＦやＣＰＵ等により実現されてよい。
３Ｄデータ抽出部１０３は、特定の患者などについての予防方法、治療工程及び技工物の少なくともいずれかを含む医療に関する３Ｄデータと、後述するマーカー表示体のマーカーに含まれている３Ｄデータ識別情報とが対応付けられて記憶されているＨＤＤに対して、３Ｄデータ識別情報に基づいて検索し、対応付けられている３Ｄデータを抽出してネットワーク１００を介してユーザ端末２０に送信させる機能を有している。さらに、３Ｄデータは、ユーザ端末２０の後述するＸ，Ｙ，Ｚ情報に紐付けられている適切なものが選ばれることであってもよい。ＣＰＵ等により実現されてよい。
【００２５】
ユーザ端末２０は、カメラ部２０１と、マーカー情報処理部２０２と、３Ｄデータ識別情報送信部２０３と、３Ｄデータ受信部２０４と、３Ｄデータ表示部２０５と、空間位置把握部２０６と、表示制御部２０７を備えている。
【００２６】
カメラ部２０１は、マーカー表示体３０のマーカー３１を撮像して認識・読み取る機能を有している。ユーザ端末２０の上端縁部などに設けられる小孔にレンズが組み込まれている態様の公知のカメラ機構により実現されてよい。
マーカー情報処理部２０２は、マーカー３１に含まれる、特定の患者を一意に識別するための患者識別情報などの、予防方法、治療工程及び技工物の少なくともいずれかを含む医療に関する３Ｄデータと対応付けられる３Ｄデータ識別情報を抽出・読み取る機能を有している。ＣＰＵ等により実現されてよい。
３Ｄデータ識別情報送信部２０３は、３Ｄデータ識別情報をネットワーク１００を介してサーバ１０に送信する機能を有している。公知の出力Ｉ／ＦやＣＰＵ等により実現されてよい。
３Ｄデータ受信部２０４は、３Ｄデータをネットワーク１００を介してサーバ１０から受信する機能を有している。公知の入力Ｉ／ＦやＣＰＵ等により実現されてよい。
３Ｄデータ表示部２０５は、３Ｄデータを視覚により認識可能に表示する機能を有している。公知の出力Ｉ／Ｆ（液晶ディスプレイなどの表示画面を含む。）やＣＰＵ等により実現されてよい。さらにタッチパネル機能を備え、所定の入力Ｉ／Ｆを兼ねていてもよい。
空間位置把握部２０６は、ユーザの動作に応じたユーザ端末２０の傾きを検知したり、ユーザ端末２０の空間における位置情報を把握する機能を有している。公知のセンサーやＣＰＵ等により実現されてよい。例えば、３軸加速度センサーは、Ｘ軸・Ｙ軸・Ｚ軸の３方向の加速度を１つのデバイスで測定できる加速度センサーであって、シリコン基板上に微小な機械構造を集積化する「微小電気機械素子創製技術（Micro Electro Mechanical Systems、MEMS、メムス、マイクロマシン）」により小型化されたＭＥＭＳセンサーである。
表示制御部２０７は、３Ｄデータ表示部２０６に表示されている３Ｄデータに関して、ユーザ端末２０の傾きに対応させて回転して表示したり、ユーザの拡大操作及び縮小操作に応じて拡大及び縮小して表示するように、ネットワーク１００を介したサーバ１０とのやりとりを含めて制御する機能を有している。ＣＰＵ等により実現されてよい。
【００２７】
次に、本実施の形態に係る３Ｄデータ表示システム１の処理動作を、図３のフローチャートを参照して詳細に説明する。
【００２８】
前提として、サーバ１０は、本システムを利用するための特定の端末用アプリケーションの運営事業者などにより設置・運営されるものとする。また、サーバ１０のＨＤＤの所定の領域には、データ送受信部１０１により取得した、歯科医院などにおいて口腔内３Ｄスキャナなどによりスキャンされた患者の口腔内の３Ｄデータ（ブラッシングなどの口腔内疾病予防方法データ、治療工程を説明するための治療工程データ、インプラントなどの技工物の３Ｄコンテンツ）が、特定の患者を一意に識別するための患者識別情報でもある３Ｄデータ識別情報と紐付けられて所定のテーブルに保存されているものとする。
さらに、歯科医院などにおいてマーカー表示体３０として、上記の特定の患者を一意に識別するための患者識別情報でもある３Ｄデータ識別情報を含ませたマーカー３１を表示した印刷物（ここでは診察券とするがキーホルダーなどの立体物でもよい。）を用意しており、そのマーカー表示体３０を患者に渡して患者が保持しているものとする。
さらに、ユーザ端末２０（例えばスマートフォンである。）には、本システムを利用するための特定の端末用アプリケーションが予め所定のＷｅｂサイト（各ＯＳの所定のアプリケーションを利用してもよい。）などから有償・無償によりダウンロードしてインストールされているものとする。
【００２９】
まず、ユーザは、ユーザ端末２０の表示画面をタップ操作して端末用アプリケーションを起動して、ＯＳに合わせてユーザ端末２０のカメラ機能（カメラ部２０１）を起動させる（ステップＳ３０１）。
【００３０】
次に、ユーザ端末２０はカメラ機能（カメラ部２０１）によりマーカー表示体３０（図４も参照）としての印刷物のマーカー３１を識別して２Ｄ認識する（ステップＳ３０２）。
【００３１】
次に、ユーザ端末２０のマーカー情報処理部２０２は、カメラ機能により認識したマーカー３１の表示画面上における位置情報を取得するとともに、マーカー３１から特定の患者（ユーザ端末２０のユーザ）を一意に識別するための患者識別情報などの、予防方法、治療工程及び技工物の少なくともいずれかを含む医療に関する３Ｄデータと対応付けられる３Ｄデータ識別情報を抽出・読み取る（ステップＳ３０３）。そして、ユーザ端末２０の３Ｄデータ識別情報送信部２０３は、３Ｄデータ識別情報をネットワーク１００を介してサーバ１０に送信し、サーバ１０の３Ｄデータ識別情報受信部１０２に受信させる。
【００３２】
次に、サーバ１０の３Ｄデータ抽出部１０３は、特定の患者などについての予防方法、治療工程及び技工物の少なくともいずれかを含む医療に関する３Ｄデータと、後述するマーカー表示体のマーカーに含まれている３Ｄデータ識別情報とが対応付けられて記憶されているＨＤＤなどの記憶部に対して、３Ｄデータ識別情報に基づいて検索し、対応付けられている３Ｄデータを抽出する（ステップＳ３０４）。ＨＤＤには、例えば、ＭＤ２コンテンツ、及びＯＢＪの３Ｄ画像データ（静止３Ｄコンテンツ）、３Ｄアニメーションデータがテクスチャー（３ＤのＣＧ：コンピュータグラフィックスで、物体の表面の質感を表現するために貼り付ける画像）付きで配置されている。そして、サーバ１０は３Ｄデータを所定のネットワーク１００を介してユーザ端末２０に送信し、ユーザ端末２０の３Ｄデータ受信部２０４に受信させる。
【００３３】
次に、ユーザ端末２０の３Ｄデータ表示部２０５は、受信したそれらの３Ｄデータを視覚により認識可能に、ユーザ端末２０の表示画面におけるマーカー３１の表示画面上における位置情報（移動してもリアルタイムに更新される。）に重ねて表示する（ステップＳ３０５）。
このように種々の角度からの静止３Ｄコンテンツの観覧が可能となる。さらに、ユーザ端末２０の表示画面を複数回連続してタップするなどの操作に応じて、ユーザ端末２０がマーカー３１から離れても上記の静止３Ｄコンテンツの観覧が可能となることであってよい。
【００３４】
さらに、ユーザ端末２０の空間位置把握部２０６は、３軸加速度センサーなどにより、ユーザの動作に応じたユーザ端末２０の移動や傾きを検知したり、ユーザ端末２０の空間における位置情報を把握して（ステップＳ３０６）、ユーザ端末２０の表示制御部２０７は、ネットワーク１００を介してサーバ１０にトランスレート（移動）のＸ，Ｙ，Ｚ・ロテート（回転）のＸ，Ｙ，Ｚ情報を送信し、サーバ１０のデータ送受信部１０１に受信させる。
【００３５】
サーバ１０の３Ｄデータ抽出部１０３は、受信したＸ，Ｙ，Ｚ情報に基づいて、ＨＤＤなどの記憶部を検索して、紐付けられて保存されている、３Ｄアニメーションデータを、ユーザ端末２０にネットワーク１００を介して送信し、ユーザ端末２０の表示制御部２０７は、表示画面上に表示されている３Ｄデータに関して、ユーザ端末２０の傾きに対応させて回転して表示させる（ステップＳ３０７）。すなわち、ユーザ端末２０の表示画面上には、Ｌｏｃａｌ空間アニメーションは３Ｄポリゴンの頂点がタイムラインごとにＸ，Ｙ，Ｚ情報の変更によりアニメーションされる。またＷｏｒｌｄ空間のトランスレートとロテートはユーザ端末２０と連動して、ユーザ端末２０側のコントロールに合わせて挙動する（図５参照）。なお、図５ではＸＹ軸上での回転による表示画面の遷移を示すが、Ｚ軸を含めた回転・傾き動作に対応した表示がなされることはいうまでもない。
このように、ユーザ端末２０そのものを動かすことで３Ｄコンテンツの任意の方向への画像表示の操作を行うことができる。また、ユーザ端末２０の表示制御部２０７は、表示画面としての液晶ディスプレイ等に対するユーザのピンチアウト（拡大）やピンチイン（縮小）というピンチ操作（拡大操作及び縮小操作）に応じて、表示画面上に表示されている３Ｄデータに関して、拡大及び縮小して表示することができてもよい。
【００３６】
上記の本実施の形態によれば、患者側が所有するユーザ端末２０であって、患者などが手などで把持しているユーザ端末２０自体の角度（向き）を変更することで、患者の自宅など任意の場所で、マウスなどの入力装置を用いることなく、ユーザ端末２０の表示画面上の予防方法・治療工程・技工物などに関する３Ｄデータを、自在に移動して表示させたり、回転表示させて種々の角度からの視点における３Ｄデータを容易に認識することができる。
【００３７】
[変形例]
単一のサーバ１０のみでなく、機能ごとに複数のサーバが用いられるシステム構成であってもよい。
また、ユーザが患者ではなく、ドクター・医療従事者であればそれらの者は専門知識を有するので歯科や医療の予防・治療などの膨大な説明をほぼすべてを把握可能であるので、ドクター・医療従事者用のツール（システム）にはコンテンツをすべて入れておき患者さんに合わせてコンテンツを選択して説明することであってもよい。
【００３８】
次に、本発明の第二の実施の形態を図面を参照しつつ説明する。
本実施の形態の３Ｄデータ表示システム１´は、図６に示すように、サーバ１０´と、ユーザ端末２０´と、マーカー表示体３０´と、医院端末４０−１´、４０−２´、・・・４０−ｎ´（以下「医院端末４０´」と総称することがある。）から構成されている。
上記の第一の実施の形態と基本的には共通する構成が大半であるので重複する説明は省略する。
【００３９】
医院端末４０´は、ＣＰＵ（Central Processing Unit）により制御される、ＲＯＭ（Read Only Memory）・ＲＡＭ（Random Access Memory）等の他、ＨＤＤ（Hard Disk Drive）などの記憶部を備え、公知の入出力手段を備える情報処理装置である。例えば、高機能のパーソナル・コンピュータ等である。歯科医院等の施設に備えられる。
医院端末４０´とサーバ１０´はインターネット等の所定のネットワークを介して接続されている。
【００４０】
図７に、本実施の形態に係る３Ｄデータ表示システム１´を構成する、サーバ１０´と、ユーザ端末２０´と医院端末４０´の機能ブロックを示す。
【００４１】
図７を参照すると、サーバ１０´は、さらに、医院ＵＲＬ情報受信部１０２´と、医院ＵＲＬ情報抽出部１０３´と、治療履歴データ抽出部１０３´´を備えている。なお、ＨＤＤには、各医院端末４０´から受信した患者ごとの治療履歴データ（医院名、診察日、治療日、治療内容、処方薬等）が格納されたデータベースが構築されている。
【００４２】
医院ＵＲＬ情報受信部１０２´は、医院端末４０´から医院のＷｅｂサイトのＵＲＬである医院ＵＲＬ情報をネットワークを介して受信する機能を有している。公知の入力Ｉ／ＦやＣＰＵ等により実現されてよい。
医院ＵＲＬ情報抽出部１０３´は、医院ＵＲＬ情報と、マーカー表示体のマーカーに含まれている医院ＵＲＬ識別情報とが対応付けられて記憶されているＨＤＤに対して、医院ＵＲＬ識別情報に基づいて検索し、対応付けられている医院ＵＲＬ情報を抽出してネットワークを介してユーザ端末２０´に送信させる機能を有している。ＣＰＵ等により実現されてよい。
治療履歴データ抽出部１０３´´は、治療履歴データと、個人認証情報とが対応付けられて記憶されているＨＤＤのデータベースに対して、個人認証情報に基づいて検索し、対応付けられている治療履歴データを抽出してネットワークを介してユーザ端末２０´に送信させる機能を有している。ＣＰＵ等により実現されてよい。
【００４３】
ユーザ端末２０´は、さらに、個人認証情報送信部２０３´と、医院ＵＲＬ情報受信部２０４´と、治療履歴データ受信部２０４´´と、Ｗｅｂサイト表示部２０５´と、治療履歴データ表示部２０５´´を備えている。
個人認証情報送信部２０３´は、医院のＷｅｂサイトへのログインの際などに入力される個人ＩＤ・パスワード等による個人認証情報をネットワークを介してサーバ１０´に送信する機能を有している。公知の出力Ｉ／ＦやＣＰＵ等により実現されてよい。
医院ＵＲＬ情報受信部２０４´は、医院ＵＲＬ情報をネットワーク１００を介してサーバ１０´から受信する機能を有している。公知の入力Ｉ／ＦやＣＰＵ等により実現されてよい。
治療履歴データ受信部２０４´´は、治療履歴データをネットワーク１００を介してサーバ１０´から受信する機能を有している。公知の入力Ｉ／ＦやＣＰＵ等により実現されてよい。
医院のＷｅｂサイト表示部２０５´は、医院ＵＲＬ情報に基づいてインターネット等のネットワーク上から所定の医院（例えば医院端末４０´が設置されている施設）のＷｅｂサイトを視覚により認識可能に表示する機能を有している。公知の出力Ｉ／Ｆ（液晶ディスプレイなどの表示画面を含む。）やＣＰＵ等により実現されてよい。さらにタッチパネル機能を備え、所定の入力Ｉ／Ｆを兼ねていてもよい。
治療履歴データ表示部２０５´´は、治療履歴データを表示する機能有している。公知の出力Ｉ／Ｆ（液晶ディスプレイなどの表示画面を含む。）やＣＰＵ等により実現されてよい。さらにタッチパネル機能を備え、所定の入力Ｉ／Ｆを兼ねていてもよい。
【００４４】
医院端末４０´は、治療履歴データ入力部４０１´と、治療履歴データ送信部４０２´と、医院ＵＲＬ情報送信部４０３´を備えている。
【００４５】
治療履歴データ入力部４０１´は、医院名、診察日、治療日、治療内容（例えばインプラントに被覆されたセラミックの種類等）、処方薬等の治療履歴データの入力（例えば医院の医師等の入力操作に応じて）を受け付ける機能を有している。公知の入力Ｉ／ＦやＣＰＵ等により実現されてよい。
【００４６】
治療履歴データ送信部４０２´は、治療履歴データをネットワークを介してサーバ１０´に送信し、サーバ１０に医院端末４０´から収集した治療履歴データのデータベースを構築させる機能を有している。公知の出力Ｉ／ＦやＣＰＵ等により実現されてよい。
【００４７】
医院ＵＲＬ情報送信部４０３´は、医院のＷｅｂサイトのＵＲＬである医院ＵＲＬ情報をネットワークを介してサーバ１０´に送信する機能を有している。公知の出力Ｉ／ＦやＣＰＵ等により実現されてよい。
【００４８】
次に、本実施の形態に係る３Ｄデータ表示システム１´の処理動作を、図８のフローチャートを参照して詳細に説明する。ここでも上記の第一の実施の形態と大きく相違する点を中心に説明する。
【００４９】
前提として、サーバ１０のＨＤＤの所定の領域には、医院端末４０´から収集した治療履歴データのデータベースが構築されているものとする。また、所定の医院のＷｅｂサイトの医院ＵＲＬ情報が、特定の患者を一意に識別するための患者識別情報でもある３Ｄデータ識別情報と紐付けられて所定のテーブルに保存されているものとする。さらに、医院のＷｅｂサイトへのログインの際などにおける個人ＩＤ・パスワード等による個人認証情報は既知の手法により予めユーザ端末２０の利用者に知らされているものとする。
【００５０】
サーバ１０の医院ＵＲＬ情報抽出部１０３´は、医院ＵＲＬ情報と、マーカー表示体のマーカーに含まれている医院ＵＲＬ識別情報とが対応付けられて記憶されているＨＤＤに対して、医院ＵＲＬ識別情報に基づいて検索し、対応付けられている医院ＵＲＬ情報を抽出する（ステップＳ３０４´）。そして、サーバ１０は医院ＵＲＬ情報を所定のネットワークを介してユーザ端末２０に送信し、ユーザ端末２０の医院ＵＲＬ情報受信部２０４´に受信させる。
【００５１】
次に、ユーザ端末２０の医院のＷｅｂサイト表示部２０５´は、医院ＵＲＬ情報に基づいてインターネット等のネットワーク上から所定の医院（例えば医院端末４０´が設置されている施設）のＷｅｂサイトを表示する（ステップＳ３０５´）。
【００５２】
次に、ユーザ端末２０の個人認証情報送信部２０３´は、所定の医院のＷｅｂサイトへのログインの際などに入力される個人ＩＤ・パスワード等による個人認証情報をネットワークを介してサーバ１０´に送信する（ステップＳ３０６´）。そして、サーバ１０に既知の手法により個人認証処理を実施させる。
【００５３】
また、サーバ１０の治療履歴データ抽出部１０３´´は、医院のＷｅｂサイトへのログインの際などにおける個人ＩＤ・パスワード等による個人認証完了後に、治療履歴データと個人認証情報が対応付けられて記憶されているＨＤＤのデータベースに対して、個人認証情報に基づいて検索し、対応付けられている治療履歴データを抽出する（ステップＳ３０７´）。そして、サーバ１０は治療履歴データを所定のネットワークを介してユーザ端末２０に送信し、ユーザ端末２０の治療履歴データ受信部２０４´´に受信させる。
【００５４】
次に、ユーザ端末２０の治療履歴データ表示部２０５´´は、治療履歴データを表示する（ステップＳ３０８´）。
【００５５】
上記の本実施の形態によれば、患者側が所有するユーザ端末２０であって、患者の自宅など任意の場所で、歯科医院等のＷｅｂサイト（例えば予約システム画面）に容易にアクセスできるようになる。
また、医院のＷｅｂサイトへのログインの際などにおける個人ＩＤ・パスワード等による個人認証後に、技工物に関する情報（例えばインプラント治療でどのようなセラミックを被覆したかの情報）及び治療履歴等の情報ＤＢに容易にアクセスできるようになる。
【００５６】
さらに上記の各実施の形態による処理が連続して実施されたり、その前後を入れ替えて実施されたり、並列処理されたりすること等であってもよい。
【００５７】
なお、上述する各実施の形態は、本発明の好適な実施の形態であり、本発明の要旨を逸脱しない範囲内において種々変更実施が可能である。例えば、各装置・システムの機能を実現するためのプログラムを各装置・システム等に読込ませて実行することにより各装置・システム等の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線等を介して伝送波により他のコンピュータシステムに伝送されてもよい。また、一部のシステムが人の動作を介在して実現されてもよい。
【符号の説明】
【００５８】
１０      サーバ
２０      ユーザ端末
３０      マーカー表示体
３１      マーカー
１００    ネットワーク
【図１】
2015016291.tif 000003
【図２】
2015016291.tif 000004
【図３】
2015016291.tif 000005
【図４】
2015016291.tif 000006
【図５】
2015016291.tif 000007
【図６】
2015016291.tif 000008
【図７】
2015016291.tif 000009
【図８】
2015016291.tif 000010
【手続補正書】
【提出日】平成26年4月14日(2014.4.14)
【手続補正１】
【補正対象書類名】明細書
【補正対象項目名】０００８
【補正方法】変更
【補正の内容】
【０００８】
本発明の３Ｄデータ表示システムは、サーバと、ユーザ端末と、マーカーを有するマーカー表示体とからなる３Ｄデータ表示システムであって、
前記サーバは、疾病予防方法、治療工程（治療履歴に関する情報を除く。）及び技工物（治療履歴に関する情報を除く。）の少なくともいずれかに関する３Ｄデータと、前記マーカー表示体のマーカーに含まれている識別情報とを対応付けて記憶している記憶部と、
前記識別情報に基づいて前記記憶部を検索し、対応付けられている前記３Ｄデータを抽出して前記ユーザ端末に送信する３Ｄデータ抽出手段とを備え、
前記ユーザ端末は、前記マーカーを読み取る読取手段と、
前記読取手段により読み取った前記識別情報を前記サーバに送信し、前記３Ｄデータを前記サーバから取得する３Ｄデータ取得手段と、
前記３Ｄデータ取得手段により取得した３Ｄデータを表示する表示手段と、
ユーザの動作に応じた自ユーザ端末の傾きを検知する傾き検知手段と、
前記傾き検知手段により検知した自ユーザ端末の傾きに対応させて、前記表示手段に表示されている前記３Ｄデータを回転して表示する表示制御手段とを備えることを特徴とする。
このように構成することにより、患者側が所有する移動体携帯端末などのユーザ端末を用いてマーカー表示体のマーカーを読み取るのみで、ユーザ端末に予防方法（予防のブラッシングなど）・治療工程・技工物の３Ｄデータを表示させるので、自宅など任意の場所で３Ｄデータを視認・利用することができる。そして、ユーザ端末が備える傾き検知手段によりマウスなどの入力装置を用いることなく、ユーザ端末を把持したユーザの手などの動作によるユーザ端末の傾きと対応（同期）させてユーザ端末の表示画面上の３Ｄデータを自在に回転表示して種々の角度からの視点における３Ｄデータを患者などに表示・視認させることができる。
【手続補正２】
【補正対象書類名】明細書
【補正対象項目名】００１０
【補正方法】変更
【補正の内容】
【００１０】
また、本発明の３Ｄデータ表示システムは、前記医院のＷｅｂサイトにおいて個人認証された前記ユーザ端末がアクセスできる前記個人認証された前記ユーザ端末のユーザである患者の治療履歴に関する情報が格納されたデータベースをさらに備えることであってもよい。
このように構成することにより、医院のＷｅｂサイトへのログインの際などにおける個人ＩＤ・パスワード等による個人認証後に、技工物に関する情報（例えばインプラント治療でどのようなセラミックを被覆したかの情報）及び治療履歴等の情報ＤＢに容易にアクセスできるようになる。
【手続補正３】
【補正対象書類名】特許請求の範囲
【補正対象項目名】全文
【補正方法】変更
【補正の内容】
【特許請求の範囲】
【請求項１】
サーバと、ユーザ端末と、マーカーを有するマーカー表示体とからなる３Ｄデータ表示システムであって、
前記サーバは、疾病予防方法、治療工程（治療履歴に関する情報を除く。）及び技工物（治療履歴に関する情報を除く。）の少なくともいずれかに関する３Ｄデータと、前記マーカー表示体のマーカーに含まれている識別情報とを対応付けて記憶している記憶部と、
前記識別情報に基づいて前記記憶部を検索し、対応付けられている前記３Ｄデータを抽出して前記ユーザ端末に送信する３Ｄデータ抽出手段とを備え、
前記ユーザ端末は、前記マーカーを読み取る読取手段と、
前記読取手段により読み取った前記識別情報を前記サーバに送信し、前記３Ｄデータを前記サーバから取得する３Ｄデータ取得手段と、
前記３Ｄデータ取得手段により取得した３Ｄデータを表示する表示手段と、
ユーザの動作に応じた自ユーザ端末の傾きを検知する傾き検知手段と、
前記傾き検知手段により検知した自ユーザ端末の傾きに対応させて、前記表示手段に表示されている前記３Ｄデータを回転して表示する表示制御手段とを備えることを特徴とする３Ｄデータ表示システム。
【請求項２】
前記サーバは、医院のＷｅｂサイトのＵＲＬである医院ＵＲＬ情報と、前記マーカー表示体のマーカーに含まれている前記識別情報とを対応付けて記憶している前記記憶部と、
前記識別情報に基づいて前記記憶部を検索し、対応付けられている前記医院ＵＲＬ情報を抽出して前記ユーザ端末に送信する医院ＵＲＬ情報抽出手段とを備え、
前記ユーザ端末は、前記マーカーを読み取る読取手段と、
前記読取手段により読み取った前記識別情報を前記サーバに送信し、前記医院ＵＲＬ情報を前記サーバから取得する医院ＵＲＬ情報取得手段と、
前記医院ＵＲＬ情報取得手段により取得した前記医院ＵＲＬ情報に基づき前記医院のＷｅｂサイトを表示する表示手段とをさらに備えることを特徴とする請求項１記載の３Ｄデータ表示システム。
【請求項３】
前記医院のＷｅｂサイトにおいて個人認証された前記ユーザ端末がアクセスできる前記個人認証された前記ユーザ端末のユーザである患者の治療履歴に関する情報が格納されたデータベースをさらに備えることを特徴とする請求項２記載の３Ｄデータ表示システム。
【請求項４】
前記ユーザ端末の表示制御手段は、前記ユーザの拡大操作及び縮小操作に応じて前記３Ｄデータを拡大及び縮小して前記表示手段に表示することを特徴とする請求項１から３のいずれか１項に記載の３Ｄデータ表示システム。
【請求項５】
前記マーカー表示体は、印刷物及び立体物のいずれかであることを特徴とする請求項１から４のいずれか１項に記載の３Ｄデータ表示システム。
【請求項６】
前記マーカー表示体は、ストラップ、キーホルダ、あるいは、装身具のいずれかに使用される装飾品であって、体内入込式の義歯固定用インプラントのデータを具現化したサンプルを取り付けた装飾品であることを特徴とする請求項１から４のいずれか１項に記載の３Ｄデータ表示システム。
【手続補正書】
【提出日】平成26年9月17日(2014.9.17)
【手続補正１】
【補正対象書類名】明細書
【補正対象項目名】０００８
【補正方法】変更
【補正の内容】
【０００８】
本発明の３Ｄデータ表示システムは、サーバと、ユーザ端末と、マーカーを有するマーカー表示体とからなる３Ｄデータ表示システムであって、
前記サーバは、疾病予防方法、治療工程（治療履歴に関する情報を除く。）及び技工物（治療履歴に関する情報を除く。）の少なくともいずれかに関する３Ｄデータと、前記マーカー表示体のマーカーに含まれている識別情報とを対応付けて記憶している記憶部と、
前記識別情報に基づいて前記記憶部を検索し、対応付けられている前記３Ｄデータを抽出して前記ユーザ端末に送信する３Ｄデータ抽出手段とを備え、
前記ユーザ端末は、前記マーカーを読み取る読取手段と、
前記読取手段により読み取った前記識別情報を前記サーバに送信し、前記３Ｄデータを前記サーバから取得する３Ｄデータ取得手段と、
前記３Ｄデータ取得手段により取得した３Ｄデータを表示する表示手段と、
ユーザの動作に応じた自ユーザ端末の傾きを検知する傾き検知手段と、
前記傾き検知手段により検知した自ユーザ端末の傾きに対応させて、前記表示手段に表示されている前記３Ｄデータを回転して表示する表示制御手段とを備え、
前記マーカー表示体は、医院の診察券であることを特徴とする。
このように構成することにより、患者側が所有する移動体携帯端末などのユーザ端末を用いてマーカー表示体のマーカーを読み取るのみで、ユーザ端末に予防方法（予防のブラッシングなど）・治療工程・技工物の３Ｄデータを表示させるので、自宅など任意の場所で３Ｄデータを視認・利用することができる。そして、ユーザ端末が備える傾き検知手段によりマウスなどの入力装置を用いることなく、ユーザ端末を把持したユーザの手などの動作によるユーザ端末の傾きと対応（同期）させてユーザ端末の表示画面上の３Ｄデータを自在に回転表示して種々の角度からの視点における３Ｄデータを患者などに表示・視認させることができる。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
サーバと、ユーザ端末と、マーカーを有するマーカー表示体とからなる３Ｄデータ表示システムであって、
前記サーバは、疾病予防方法、治療工程（治療履歴に関する情報を除く。）及び技工物（治療履歴に関する情報を除く。）の少なくともいずれかに関する３Ｄデータと、前記マーカー表示体のマーカーに含まれている識別情報とを対応付けて記憶している記憶部と、
前記識別情報に基づいて前記記憶部を検索し、対応付けられている前記３Ｄデータを抽出して前記ユーザ端末に送信する３Ｄデータ抽出手段とを備え、
前記ユーザ端末は、前記マーカーを読み取る読取手段と、
前記読取手段により読み取った前記識別情報を前記サーバに送信し、前記３Ｄデータを前記サーバから取得する３Ｄデータ取得手段と、
前記３Ｄデータ取得手段により取得した３Ｄデータを表示する表示手段と、
ユーザの動作に応じた自ユーザ端末の傾きを検知する傾き検知手段と、
前記傾き検知手段により検知した自ユーザ端末の傾きに対応させて、前記表示手段に表示されている前記３Ｄデータを回転して表示する表示制御手段とを備え、
前記マーカー表示体は、医院の診察券であることを特徴とする３Ｄデータ表示システム。
【請求項２】
前記サーバは、医院のＷｅｂサイトのＵＲＬである医院ＵＲＬ情報と、前記マーカー表示体のマーカーに含まれている前記識別情報とを対応付けて記憶している前記記憶部と、
前記識別情報に基づいて前記記憶部を検索し、対応付けられている前記医院ＵＲＬ情報を抽出して前記ユーザ端末に送信する医院ＵＲＬ情報抽出手段とを備え、
前記ユーザ端末は、前記マーカーを読み取る読取手段と、
前記読取手段により読み取った前記識別情報を前記サーバに送信し、前記医院ＵＲＬ情報を前記サーバから取得する医院ＵＲＬ情報取得手段と、
前記医院ＵＲＬ情報取得手段により取得した前記医院ＵＲＬ情報に基づき前記医院のＷｅｂサイトを表示する表示手段とをさらに備えることを特徴とする請求項１記載の３Ｄデータ表示システム。
【請求項３】
前記医院のＷｅｂサイトにおいて個人認証された前記ユーザ端末がアクセスできる前記個人認証された前記ユーザ端末のユーザである患者の治療履歴に関する情報が格納されたデータベースをさらに備えることを特徴とする請求項２記載の３Ｄデータ表示システム。
【請求項４】
前記ユーザ端末の表示制御手段は、前記ユーザの拡大操作及び縮小操作に応じて前記３Ｄデータを拡大及び縮小して前記表示手段に表示することを特徴とする請求項１から３のいずれか１項に記載の３Ｄデータ表示システム。